(57)【要約】【課題】商用電源から給電している状態では、リモート給電源で動作しているＤＣ−ＤＣコンバータの動作を停止させることで、ＤＣ−ＤＣコンバータからのノイズ発生をなくす。【解決手段】ローカル給電部２から出力電圧ＶＤＣが供給されている状態では、フォトカプラ５１の発光ダイオード５１ａを発光させ、フォトカプラ５１のフォトトランジスタ５１ｂをオン状態にさせて、ＤＣ−ＤＣコンバータ３内の低電圧誤動作防止回路３５の入力端子３５ａを低電位に制御する。低電圧誤動作防止回路３５は、入力端子３５ａが基準電圧ＶＫ以下である場合には、ＤＣ−ＤＣコンバータ３のスイッチング動作を停止させる機能を有する。商用電源から給電している状態では、フォトカプラ５１を備えたＤＣ−ＤＣコンバータ動作停止制御部５を介してＤＣ−ＤＣコンバータ３の動作を停止させることで、ＤＣ−ＤＣコンバータ３からのノイズ発生をなくすことができる。【選択図】    図１
2004274648.tif 000002
【特許請求の範囲】
【請求項１】
通信線を介して供給される電力で動作するリモート給電動作型ＤＣ−ＤＣコンバータと、商用電源から電力の供給を受けて動作するローカル給電部とを備え、前記リモート給電動作型ＤＣ−ＤＣコンバータの出力に前記ローカル給電部の出力を逆流防止素子を介して接続することでリモート給電源と商用電源の双方から電源を供給できるようにした電子機器の電源装置であって、
前記商用電源から電力の供給を受けている状態では前記リモート給電動作型ＤＣ−ＤＣコンバータの動作を停止させるＤＣ−ＤＣコンバータ動作停止制御部を備えていること
を特徴とする電子機器の電源装置。
【請求項２】
請求項１記載の電子機器の電源装置において、
前記ＤＣ−ＤＣコンバータ動作停止制御部は、発光素子と受光素子とが光結合された光結合素子を備え、
前記ローカル給電部の出力に基づいて前記光結合素子の前記発光素子を発光させ、前記光結合素子の出力に基づいて前記リモート給電動作型ＤＣ−ＤＣコンバータの動作を停止させること
を特徴とする電子機器の電源装置。
【請求項３】
請求項１記載の電子機器の電源装置において、
前記リモート給電動作型ＤＣ−ＤＣコンバータは、通信線を介して供給される電圧が予め設定した電圧よりも低い場合にはスイッチング動作を停止させる低電圧誤動作防止回路を備え、
前記ＤＣ−ＤＣコンバータ動作停止制御部は、発光素子と受光素子とが光結合された光結合素子を備え、前記ローカル給電部の出力に基づいて前記光結合素子の前記発光素子を発光させ、前記光結合素子の出力に基づいて前記低電圧誤動作防止回路に入力される電圧を前記予め設定した電圧よりも低い電圧に制御すること
を特徴する電子機器の電源装置。
【発明の詳細な説明】
【０００１】
【発明の属する技術分野】
本発明は、リモート給電源と商用電源の双方から給電が可能なアナログ電話機、ＩＰ（インターネットプロトコル）電話機、無線ＬＡＮアクセスポイント装置等の電子機器の電源装置に関する。
【０００２】
【従来の技術】
従来、電話回線等の通信線を介して供給されるリモート給電源で動作するＤＣ−ＤＣコンバータの出力にダイオードを介して商用電源用定電圧回路の出力（商用電源から生成した直流電源の出力）を供給することで、リモート給電源と商用電源の双方から給電できるようにした電子機器の電源装置が知られている。
【０００３】
【発明が解決しようとする課題】
従来の電源装置は、商用電源から給電している状態でもＤＣ−ＤＣコンバータを動作させている。このため、ＤＣ−ＤＣコンバータで発生するノイズによって電子機器の動作や性能に悪影響を与えることがある。
【０００４】
本発明の目的は、商用電源から給電する際には、ＤＣ−ＤＣコンバータからのノイズの発生を抑制するようにした電子機器の電源装置を提供することにある。
【０００５】
【課題を解決するための手段】
上記目的は、通信線を介して供給される電力で動作するリモート給電動作型ＤＣ−ＤＣコンバータと、商用電源から電力の供給を受けて動作するローカル給電部とを備え、リモート給電動作型ＤＣ−ＤＣコンバータの出力にローカル給電部の出力を逆流防止素子を介して接続することでリモート給電源と商用電源の双方から電源を供給できるようにしたものであって、商用電源から電力の供給を受けている状態ではリモート給電動作型ＤＣ−ＤＣコンバータの動作を停止させるＤＣ−ＤＣコンバータ動作停止制御部を備えることを特徴とする電子機器の電源装置によって達成される。
【０００６】
本発明による電子機器の電源装置は、商用電源から電力の供給を受けている状態ではリモート給電動作型ＤＣ−ＤＣコンバータの動作を停止させるので、ＤＣ−ＤＣコンバータからのノイズの発生をなくすことができる。
【０００７】
なお、ＤＣ−ＤＣコンバータ動作停止制御部は、発光素子と受光素子とが光結合された光結合素子を備え、ローカル給電部の出力に基づいて光結合素子の発光素子を発光させ、光結合素子の出力に基づいてＤＣ−ＤＣコンバータの動作を停止させる構成とするのが望ましい。
【０００８】
例えばフォトカプラ等の光結合素子を用いることで、ローカル給電部の出力側とは直流的に分離されているＤＣ−ＤＣコンバータの１次側（リモート給電源側）の動作を簡易な回路構成で制御することができ、これによりＤＣ−ＤＣコンバータの動作を停止させることができる。
【０００９】
また、ＤＣ−ＤＣコンバータは、通信線を介して供給される電圧が予め設定した電圧よりも低い場合にはスイッチング動作を停止する低電圧誤動作防止回路を備える構成である場合には、光結合素子の出力に基づいて低電圧誤動作防止回路に入力される電圧を前記予め設定した電圧よりも低い電圧に制御することで、ＤＣ−ＤＣコンバータの動作を停止させるようにしてもよい。
【００１０】
これにより、ＤＣ−ＤＣコンバータ動作停止制御部を、例えばフォトカプラと発光電流制限用抵抗等の極めて少ない部品で構成することができ、電子機器の電源装置を小型にでき、また安価にできる。
【００１１】
【発明の実施の形態】
本発明の一実施の形態による電子機器の電源装置について図１を用いて説明する。図１は本実施の形態による電子機器の電源装置の概略構成を示している。図１に示す電子機器の電源装置１は、商用電源から電力の供給を受けて所定の直流電圧を出力するローカル給電部（ＡＣアダプタ）２と、リモート給電源で動作するリモート給電動作型ＤＣ−ＤＣコンバータ（以下、ＤＣ−ＤＣコンバータと略称する）３とを有している。ローカル給電部２の出力は逆流防止素子としてのダイオード４を介してＤＣ−ＤＣコンバータ３の出力と接続されている。また、電源装置１には、ローカル給電部２の通電を検出してＤＣ−ＤＣコンバータ３の動作を停止させるＤＣ−ＤＣコンバータ動作停止制御部５が設けられている。
なお、ここでいうリモート給電とは、基地局から直接的に受ける局給電はもちろんのこと、例えば、ＨＵＢやルータ等から通信ケーブルを介して受ける給電等も含む。また、ローカル給電部とは、商用電源からの給電を受けて所定の直流電圧を出力する電源部であり、ＡＣ−ＤＣコンバータやＡＣアダプタ、またはこれらの直流出力電圧をさらに電圧変換したＤＣ−ＤＣコンバータ等を含む。
【００１２】
また、ＤＣ−ＤＣコンバータ３の入力側には極性一致回路６が設けられており、極性一致回路６は例えば電話回線等の通信線の接続端子Ｌ１，Ｌ２と接続されている。ローカル給電部２の直流出力電圧の受電端子ＤＣＩ＋はＤＣ−ＤＣコンバータ動作停止制御部５の入力段の電流制限抵抗５２の一端子及びダイオード４のアノード端子に接続されている。ローカル給電部２の直流出力電圧の受電端子ＤＣＩ−は不図示の電子機器側のグランドに接続されている。不図示の電子機器の各回路部等へ直流電源を供給する直流電源出力端子ＤＣＯ＋は、ＤＣ−ＤＣコンバータ３の正極側出力端子に接続されていると共にダイオード４のカソード端子に接続されている。直流電源出力端子ＤＣＯ−はＤＣ−ＤＣコンバータ３の負極側出力端子に接続されていると共に電子機器側のグランドに接続されている。なお、図１では、通信線を介して信号を送受信する回路部等の記載は省略している。
【００１３】
極性一致回路６は、通信線の各接続端子Ｌ１，Ｌ２に接続される不図示の通信線の極性に拘らずＤＣ−ＤＣコンバータ３に供給される電圧ＶＬ＋，ＶＬ−の極性を一致させるために用いられ、例えばダイオードブリッジを用いて構成されている。なお、通信線の各接続端子Ｌ１，Ｌ２に接続される不図示の通信線の極性が一定である場合には、極性一致回路６を設けなくてもよい。
【００１４】
ＤＣ−ＤＣコンバータ３は、１次巻線３１ａと２次巻線３１ｂとが絶縁されたトランス３１を有している。トランス３１の１次巻線３１ａには、直列にスイッチング回路３２が接続されている。トランス３１の２次巻線３１ｂ側には整流回路３３が設けられている。また、ＤＣ−ＤＣコンバータ３は、発振制御回路３４と、低電圧誤動作防止回路３５と、電圧検出回路を構成する各抵抗３６，３７と、安定化電源回路３８とを有している。
【００１５】
安定化電源回路３８は、例えば定電流回路と定電圧回路とを直列接続して構成され、電圧が安定化された回路用電源ＶＳを出力する。この回路用電源ＶＳは、低電圧誤動作防止回路３５及び発振制御回路３４へ供給される。なお、低電圧誤動作防止回路３５及び発振制御回路３４が広い電源電圧範囲に亘って安定に動作できる構成である場合には、安定化電源回路３８を設けずに、リモート給電によって得られた電圧ＶＬ＋を低電圧誤動作防止回路３５及び発振制御回路３４に直接供給するようにしてもよい。
【００１６】
スイッチング回路３２は、バイポーラトランジスタや電界効果トランジスタ等の半導体スイッチング素子を備えている。スイッチング回路３２は、発振制御回路３４から供給されるスイッチング駆動信号に基づいて半導体スイッチング素子をスイッチング動作させることで、トランス３１の１次巻線３１ａに流れる電流をスイッチングするようになっている。
【００１７】
整流回路３３は、整流用ダイオードと平滑用コンデンサ等を備えている。整流回路３３は、トランス３１の２次巻線３１ｂに誘起された交流電圧を整流・平滑して直流電圧を出力する。整流回路３３の正極側出力（ＤＣ−ＤＣコンバータ３の正極側出力）は、正極側の直流電源出力端子ＤＣＯ＋に供給され、整流回路３３の負極側出力（ＤＣ−ＤＣコンバータ３の負極側出力）は、負極側の直流電源出力端子ＤＣＯ−に供給される。整流回路３３の負極側出力（ＤＣ−ＤＣコンバータ３の負極側出力）は、ローカル給電部２の負極側出力と共通接続されている。
【００１８】
発振制御回路３４は、図示は省略したが、発振回路と、発振回路の発振動作を停止させる発振停止制御回路と、発振回路の発振出力に基づいてスイッチング回路３２を駆動するためのスイッチング駆動信号を生成する駆動信号生成回路等を備えている。発振制御回路３４は、低電圧誤動作防止回路３５の出力が例えばＨ（Ｈｉｇｈ）レベルである場合には、発振回路を動作状態にしてスイッチング駆動信号を生成してスイッチング回路３２に出力する。発振制御回路３４は、低電圧誤動作防止回路３５の出力が例えばＬ（Ｌｏｗ）レベルである場合には、発振回路を動作停止状態にしてスイッチング駆動信号の出力を停止するようになっている。
【００１９】
低電圧誤動作防止回路３５は、リモート給電によって得られた電圧ＶＬ＋が予め設定した電圧よりも低い場合には、発振制御回路３４の発振動作を停止させることで、ＤＣ−ＤＣコンバータ３の動作が不安定になるのを防止するために設けられている。低電圧誤動作防止回路３５は、電圧比較器３５１と基準電圧発生回路３５２とを備えている。基準電圧発生回路３５２は、例えば、電流制限抵抗３５２１と定電圧ダイオード３５２２とを直列接続して構成されている。
【００２０】
基準電圧発生回路３５２によって発生された基準電圧ＶＫは、電圧比較器３５１の基準電圧入力端子（−）に供給される。電圧比較器３５１の比較電圧入力端子（＋）には、リモート給電によって得られた電圧ＶＬ＋が抵抗３６と抵抗３７とで分圧された電圧が供給される。電圧比較器３５１は、抵抗３６と抵抗３７とで分圧された電圧が基準電圧ＶＫを越えている場合には、Ｈレベルの出力を発振制御回路３４に供給する。電圧比較器３５１は、抵抗３６と抵抗３７とで分圧された電圧が基準電圧ＶＫ以下である場合には、Ｌレベルの出力を発振制御回路３４に供給する。
【００２１】
ＤＣ−ＤＣコンバータ３が安定に動作できる最低電圧が例えば２．５Ｖ（ボルト）である場合、低電圧誤動作防止回路３５は、リモート給電によって得られた電圧ＶＬ＋が例えば２．５Ｖを越えているときに、Ｈレベルの出力を発振制御回路３４に供給するよう構成している。
【００２２】
ＤＣ−ＤＣコンバータ動作停止制御部５は、光結合素子として発光ダイオード５１ａとフォトトランジスタ５１ｂとを光結合したフォトカプラ５１と、発光ダイオード５１ａに流れる電流を設定するための電流制限抵抗５２とを備えている。フォトトランジスタ５１ｂのコレクタ端子は、電圧検出回路を構成する抵抗３６と抵抗３７との接続点、すなわち、電圧比較器３５１の比較電圧入力端子（＋）に接続されている。フォトトランジスタ５１ｂのエミッタ端子は、抵抗３７の他端、すなわち、リモート給電によって得られた電源の負極側ＶＬ−に接続されている。なお、光結合素子として発光ダイオードとフォトＭＯＳＦＥＴとを光結合したものを用いてもよい。
【００２３】
次に、本実施の形態による電子機器の電源装置１の動作について説明する。商用電源が供給されていない場合、または、ローカル給電部２が接続されていない場合には、ローカル給電部２の直流出力電圧の各受電端子ＤＣＩ＋，ＤＣＩ−には直流電圧ＶＤＣが印加されない。したがって、フォトカプラ５１の発光ダイオード５１ａに電流は供給されず、フォトトランジスタ５１ｂはオフ状態を維持する。
【００２４】
フォトトランジスタ５１ｂがオフ状態であると、低電圧誤動作防止回路３６の入力端子３５ａには、リモート給電によって得られた電圧ＶＬ＋を抵抗３６と抵抗３７とで分圧された電圧が供給される。低電圧誤動作防止回路３６は、入力端子３５ａに供給される電圧が予め設定した電圧を越えている場合には、例えばＨレベルに出力を発振制御回路３４へ供給する。これにより、発振制御回路３４が動作状態になり、ＤＣ−ＤＣコンバータ３が動作状態となり、ＤＣ−ＤＣコンバータ３の出力が直流電源出力端子ＤＣＯ＋，ＤＣＯ−から不図示の電子機器の各回路部等へ供給される。逆流防止用のダイオード４が設けられているので、ＤＣ−ＤＣコンバータ３の出力がローカル給電部２側へ廻り込むことはない。
【００２５】
商用電源からローカル給電部２を介して直流電圧ＶＤＣが供給されている場合には、この直流電圧ＶＤＣがダイオード４及び直流電源出力端子ＤＣＯ＋，ＤＣＯ−を介して不図示の電子機器の各回路部等へ供給される。なお、整流回路３３内には整流用ダイオード（不図示）が設けられているので、ローカル給電部２から供給される直流電圧ＶＤＣがトランス３１の２次巻線３１ｂ側へ廻り込むことはない。
【００２６】
ローカル給電部２から直流電圧ＶＤＣが供給されている状態では、ＤＣ−ＤＣコンバータ動作停止制御部５内のフォトダイオード５１ａが発光状態となり、フォトトランジスタ５１ｂがオン状態となるので、定電圧誤動作防止回路３５の入力端子３５ａは基準電圧ＶＫよりも低い電圧になる。したがって、定電圧誤動作防止回路３５の出力は例えばＬレベルとなり、発振制御回路３４の発振動作が停止する。これにより、ＤＣ−ＤＣコンバータ３の動作が停止するため、ＤＣ−ＤＣコンバータ３の非使用時でのノイズの発生が防止される。
【００２７】
なお、本実施の形態では、ＤＣ−ＤＣコンバータ３内の低電圧誤動作防止回路３５の機能を利用してＤＣ−ＤＣコンバータ３の動作を停止する構成を示したが、発振制御回路３４に直列に電源供給用のスイッチングトランジスタ等を接続し、ＤＣ−ＤＣコンバータ動作停止制御部は、フォトカプラ５１の出力に基づいて電源供給用のスイッチングトランジスタ等をオフ状態に制御することで、ＤＣ−ＤＣコンバータ３の動作を停止させる構成としてもよい。また、ＤＣ−ＤＣコンバータ３への給電を停止することで、ＤＣ−ＤＣコンバータ３の動作を停止させる構成としてもよい。
【００２８】
【発明の効果】
以上説明したように本発明による電子機器の電源装置は、商用電源から電力の供給を受けている状態ではリモート給電動作型ＤＣ−ＤＣコンバータの動作を停止させる構成としたので、ＤＣ−ＤＣコンバータからのノイズの発生をなくすことができる。
【図面の簡単な説明】
【図１】本発明の一実施の形態による電子機器の電源装置の概略構成を示す図である。
【符号の説明】
１  電子機器の電源装置
２  ローカル給電部（ＡＣアダプタ）
３  リモート給電源動作型ＤＣ−ＤＣコンバータ
４  ダイオード（逆流防止素子）
５  ＤＣ−ＤＣコンバータ動作停止制御部
６  極性一致回路
３１  トランス
３２  スイッチング回路
３３  整流回路
３４  発振制御回路
３５  低電圧誤動作防止回路
３６，３７  抵抗
３８  安定化電源回路
５１  フォトカプラ
５２  電流制限抵抗
【図１】
2004274648.tif 000003